(57)【要約】【課題】  比較的簡単な方法で確実に鋸歯形状基板の所望の位置にスペーサー粒子を配置して光偏向素子の液晶層のギャップを制御し、散乱光が少なく高性能な光偏向素子を提供する。【解決手段】  少なくとも一方の透明基板が光偏向光方向に対して傾斜している鋸歯状の表面を形成した鋸歯形状基板を有する一対の透明基板（鋸歯形状基板、対向基板）と、一対の透明基板上の透明電極と、一対の透明基板間に挟まれた電圧印加により配向状態の制御が可能な液晶層と、液晶層に電圧を印加する電圧制御手段と、を有して構成される光偏向素子において、液晶層のギャップを制御するためのスペーサー粒子を鋸歯形状基板の段差部近傍（凸部近傍、凹部近傍）に配置する。【選択図】  図５
2005070237.tif 000002
【特許請求の範囲】
【請求項１】
一対の透明基板と、前記透明基板上の透明電極と、前記透明基板の間に挟まれた電圧印加により配向の制御が可能な液晶層と、前記液晶層に対して電圧を印可する電圧制御手段と、を有し、前記液晶層を挟む前記両透明基板の少なくとも一方の透明基板が、光偏向方向に対応して傾斜している鋸歯状の表面を形成してなる鋸歯形状基板である光偏向素子であって、
前記液晶層のギャップを制御するためのスペーサー粒子が前記鋸歯形状基板の段差部近傍に配置されてなることを特徴とする光偏向素子。
【請求項２】
前記液晶層のギャップを制御するスペーサー粒子を前記鋸歯形状基板の段差部近傍にスクリーン印刷により配置してなることを特徴とする請求項１記載の光偏向素子。
【請求項３】
前記液晶層のギャップを制御するスペーサー粒子を前記鋸歯形状基板の段差部近傍にインクジェットにより配置してなることを特徴とする請求項１記載の光偏向素子。
【請求項４】
前記段差部近傍は、鋸歯状を形成する段差部の凸部近傍と凹部近傍とからなり、
前記液晶層のギャップを制御するスペーサー粒子を前記鋸歯形状基板の全面に配置した後に、前記スペーサー粒子を除去するための平面形状からなる除去手段を前記鋸歯形状基板面に接触させて、前記鋸歯形状基板の段差部凹部以外のスペーサー粒子を前記除去手段側に転写することで、前記液晶層のギャップを制御するスペーサー粒子を前記鋸歯形状基板の段差部凹部近傍に配置してなることを特徴とする請求項１記載の光偏向素子。
【請求項５】
前記段差部近傍は、鋸歯状を形成する段差部の凸部近傍と凹部近傍とからなり、
前記液晶層のギャップ制御をするスペーサー粒子を配置してなる基板に対し、前記鋸歯形状基板を接触させ、前記鋸歯形状基板の段差部凸部近傍に対して前記スペーサー粒子を前記基板から転写して配置してなることを特徴とする請求項１記載の光偏向素子。
【請求項６】
前記液晶層のギャップを制御するスペーサー粒子が接着剤層を形成してなり、前記鋸歯形状基板の所望の位置に前記スペーサー粒子を配置した後に、前記接着剤層により前記鋸歯形状基板に前記スペーサー粒子が接着してなることを特徴とする請求項１から５の何れか１項に記載の光偏向素子。
【請求項７】
前記液晶層のギャップを制御するスペーサー粒子が光吸収体よりなることを特徴とする請求項１から６の何れか１項に記載の光偏向素子。
【請求項８】
一対の透明基板と、前記透明基板上の透明電極と、前記透明基板間に挟まれた電圧印加により配向の制御が可能な液晶層と、前記液晶層のギャップを制御するためのスペーサー粒子と、前記液晶層に電圧を印加する電圧制御手段と、を有し、前記液晶層を挟む前記両透明基板の少なくとも一方の透明基板が光偏向方向に対応して傾斜している鋸歯状の表面を形成してなる鋸歯形状基板である光偏向素子であって、
前記スペーサー粒子は帯電可能であり、該帯電したスペーサー粒子を保持するスペーサー担持体の表面と前記鋸歯形状基板の鋸歯面とを対向配置して電位差を印加させ、前記鋸歯形状基板の段差部近傍と前記鋸歯形状基板の段差部近傍以外の部分とに電界強度差を生じさせ、前記帯電したスペーサー粒子を前記鋸歯形状基板の段差部近傍に静電力により選択的に配置してなることを特徴とする光偏向素子。
【請求項９】
前記スペーサー粒子を摩擦帯電させ、該帯電したスペーサー粒子を導電性あるいは半導体表面を具備するスペーサー担持体上に付着させ、前記スペーサー担持体の表面と前記鋸歯形状基板の鋸歯表面とを対向して配置し、両表面間に電位差を印加することで、前記鋸歯形状基板の段差部近傍と前記鋸歯形状基板の段差部近傍以外の部分とに電界強度差を生じさせ、電界強度の大きな部分のみで前記スペーサー担持体上の帯電したスペーサー粒子を前記鋸歯形状基板側に静電的な力により転写させ、前記鋸歯形状基板の段差部近傍のみに前記スペーサー粒子を配置してなることを特徴とする請求項８記載の光偏向素子。
【請求項１０】
前記スペーサー粒子を摩擦帯電させ、該帯電したスペーサー粒子を導電性あるいは半導体表面を具備する現像ローラー上に帯電したスペーサー粒子の薄層を形成させ、前記現像ローラーの表面と前記鋸歯形状基板の鋸歯表面とを対向して配置し、両表面間に電位差を印加することで、前記鋸歯形状基板の段差部近傍と前記鋸歯形状基板の段差部近傍以外の部分とに電界強度差を生じさせ、電界強度の大きな部分のみで前記現像ローラー上の帯電したスペーサー粒子を前記鋸歯形状基板側に静電力により転写させ、前記鋸歯形状基板の段差部近傍のみに前記スペーサー粒子を配置してなることを特徴とする請求項８記載の光偏向素子。
【請求項１１】
前記鋸歯形状基板上の透明電極が段差部近傍領域と傾斜部領域との２つの領域に電気的に絶縁されて形成されてなり、該２つの領域は互いに独立して電圧印加、あるいは、接地が可能であり、該２つの領域に印加する電位差により、前記帯電したスペーサー粒子を保持するスペーサー担持体の表面と前記２つの領域とに電界強度差を生じさせ、前記帯電したスペーサー粒子を前記鋸歯形状基板の段差部近傍に静電的な力により選択的に配置してなることを特徴とする請求項８記載の光偏向素子。
【請求項１２】
一対の透明基板と、前記透明基板上の透明電極と、前記透明基板間に挟まれた電圧印加により配向の制御が可能な液晶層と、前記液晶層のギャップを制御するためのスペーサー粒子と、前記液晶層に電圧を印加する電圧制御手段と、を有し、前記液晶層を挟む前記両透明基板の一方の透明基板は平面の表面からなる平面基板であり、他方の透明基板が光偏向方向に対応して傾斜している鋸歯状の表面を形成してなる鋸歯形状基板である光偏向素子であって、
前記スペーサー粒子は帯電可能であり、前記平面基板上の透明電極が、前記鋸歯形状基板の段差部近傍領域と傾斜部領域とのそれぞれに対向する位置で、前記段差部近傍領域と前記傾斜部領域との２つの領域に電気的に絶縁されて形成され、該２つの領域は互いに独立して電圧印加、あるいは、接地が可能であり、該２つの領域に印加する電位差により、前記帯電したスペーサー粒子を保持するスペーサー担持体の表面と前記２つの領域とに電界強度差を生じさせ、前記帯電したスペーサー粒子を前記平面基板上の段差部近傍に対応した領域に静電力により選択的に配置し、前記平面基板上のスペーサー粒子が付着した領域と前記鋸歯形状基板の段差部近傍とを対向させて前記液晶層を挟むように配置してなることを特徴とする光偏向素子。
【請求項１３】
一対の透明基板と、前記透明基板上の透明電極と、前記透明基板の間に挟まれた電圧印加により配向の制御が可能な液晶層と、前記液晶層に対して電圧を印可する電圧制御手段と、を有し、前記液晶層を挟む前記両透明基板の少なくとも一方の透明基板が、光偏向方向に対応して傾斜している鋸歯状の表面を形成してなる鋸歯形状基板である光偏向素子の製造方法であって、
前記液晶層のギャップを制御するためのスペーサー粒子を前記鋸歯形状基板の段差部近傍に配置することを特徴とする光偏向素子の製造方法。
【請求項１４】
前記液晶層のギャップを制御するスペーサー粒子を前記鋸歯形状基板の段差部近傍にスクリーン印刷により配置することを特徴とする請求項１３記載の光偏向素子の製造方法。
【請求項１５】
前記液晶層のギャップを制御するスペーサー粒子を前記鋸歯形状基板の段差部近傍にインクジェットにより配置することを特徴とする請求項１３記載の光偏向素子の製造方法。
【請求項１６】
前記段差部近傍は、鋸歯状を形成する段差部の凸部近傍と凹部近傍とからなり、
前記液晶層のギャップを制御するスペーサー粒子を前記鋸歯形状基板の全面に配置し、前記スペーサー粒子を除去するための平面形状からなる除去手段を前記鋸歯形状基板面に接触させ、前記鋸歯形状基板の段差部凹部以外のスペーサー粒子を前記除去手段側に転写することで、前記液晶層のギャップを制御するスペーサー粒子を前記鋸歯形状基板の段差部凹部近傍に配置することを特徴とする請求項１３記載の光偏向素子の製造方法。
【請求項１７】
前記段差部近傍は、鋸歯状を形成する段差部の凸部近傍と凹部近傍とからなり、
前記液晶層のギャップ制御をするスペーサー粒子を配置してなる基板に対し、前記鋸歯形状基板を接触させ、前記鋸歯形状基板の段差部凸部近傍に対して前記スペーサー粒子を前記基板から転写することで、前記液晶層のギャップを制御するスペーサー粒子を前記鋸歯形状基板の段差部凸部近傍に配置することを特徴とする請求項１３記載の光偏向素子の製造方法。
【請求項１８】
前記液晶層のギャップを制御するスペーサー粒子が接着剤層を形成してなり、前記鋸歯形状基板の所望の位置に前記スペーサー粒子を配置した後に、前記接着剤層により前記鋸歯形状基板に前記スペーサー粒子が接着してなることを特徴とする請求項１３から１７の何れか１項に記載の光偏向素子の製造方法。
【請求項１９】
表面に透明電極が形成された一対の透明基板のうち、少なくとも一方の透明基板が光偏向方向に対応して傾斜している鋸歯状の表面を形成してなる鋸歯形状基板であり、少なくとも一方の透明基板の表面にスペーサー粒子を配置し、両透明基板に形成された前記透明電極側を内側にして両透明基板を対向させ、前記スペーサー粒子を前記両透明基板に挟み込んで貼り合わせ、両透明基板間の空間に液晶材料を注入した後に封止してなる光偏向素子の製造方法であって、
前記スペーサー粒子を帯電させ、該帯電したスペーサー粒子を保持するスペーサー担持体の表面と前記鋸歯形状基板の鋸歯面とを対向配置し、前記両透明基板の透明電極間に電位差を印加し、前記鋸歯形状基板の段差部近傍と前記鋸歯形状基板の段差部近傍以外の部分とに電界強度差を生じさせ、前記帯電したスペーサー粒子を前記鋸歯形状基板の段差部近傍に静電力により選択的に配置することを特徴とする光偏向素子の製造方法。
【請求項２０】
前記スペーサー粒子を摩擦帯電させ、該帯電したスペーサー粒子を、導電性あるいは半導体表面を有するスペーサー担持体上に付着させ、前記スペーサー担持体の表面と前記鋸歯形状基板の鋸歯表面とを対向して配置し、両表面間に電位差を印加することで、前記鋸歯形状基板の段差部近傍と前記鋸歯形状基板の段差部近傍以外の部分とに電界強度差を生じさせ、電界強度の大きな部分のみで前記スペーサー担持体上の帯電したスペーサー粒子を前記鋸歯形状基板側に静電力により転写させることで、前記鋸歯形状基板の段差部近傍のみに前記スペーサー粒子を配置することを特徴とする請求項１９記載の光偏向素子の製造方法。
【請求項２１】
前記スペーサー粒子を摩擦帯電させ、該帯電したスペーサー粒子を、導電性あるいは半導体表面を有する現像ローラー上に付着させ、前記現像ローラー上に付着した前記スペーサー粒子の薄層を形成し、前記現像ローラーの表面と前記鋸歯形状基板の鋸歯表面とを対向して配置し、両表面間に電位差を印加することで、前記鋸歯形状基板の段差部近傍と前記鋸歯形状基板の段差部近傍以外の部分とに電界強度差を生じさせ、電界強度の大きな部分のみで前記スペーサー担持体上の帯電したスペーサー粒子を前記鋸歯形状基板側に静電力により転写させることで、前記鋸歯形状基板の段差部近傍のみに前記スペーサー粒子を配置することを特徴とする請求項１９記載の光偏向素子の製造方法。
【請求項２２】
前記鋸歯形状基板上の透明電極が段差部近傍領域と傾斜部領域との２つの領域に電気的に絶縁されて形成され、該２つの領域は互いに独立して電圧印加、あるいは、接地が可能であり、該２つの領域に印加する電位差により、前記帯電したスペーサー粒子を保持するスペーサー担持体の表面と前記２つの領域とに電界強度差を生じさせ、前記帯電したスペーサー粒子を前記鋸歯形状基板の段差部近傍に静電力により選択的に配置したことを特徴とする請求項１９記載の光偏向素子の製造方法。
【請求項２３】
表面に透明電極が形成された一対の透明基板の内、一方の透明基板は平面の表面からなる平面基板であり、他方の透明基板は光偏向方向に対応して傾斜している鋸歯状の表面を形成してなる鋸歯形状基板であり、少なくとも一方の透明基板表面にスペーサー粒子を配置し、両透明基板の透明電極側を内側にして対向させて前記スペーサー粒子を挟み込んで貼り合わせ、両透明基板間の空間に液晶材料を注入した後に封止してなる光偏向素子の製造方法であって、
前記スペーサー粒子を帯電させ、前記平面基板上の透明電極が、前記鋸歯形状基板の段差部近傍領域と傾斜部領域とのそれぞれに対向する位置で、前記段差部近傍領域と傾斜部領域との２つの領域に電気的に絶縁されて形成され、該２つの領域は互いに独立して電圧印加、あるいは、接地が可能であり、該２つの領域に印加する電位差により、前記帯電したスペーサー粒子を保持するスペーサー担持体の表面と前記２つの領域とに電界強度差を生じさせ、前記帯電したスペーサー粒子を前記平面基板上の前記鋸歯形状基板の段差部近傍に対応した領域に静電力により選択的に配置し、前記平面基板上のスペーサー粒子が付着した領域と前記鋸歯形状基板の段差部近傍とを対向させて貼り合わせることを特徴とする光偏向素子の製造方法。
【請求項２４】
表面に透明電極が形成された一対の透明基板のうち、少なくとも一方の透明基板が光偏向方向に対応して傾斜している鋸歯状の表面を形成してなる鋸歯形状基板であり、少なくとも一方の透明基板の表面にスペーサー粒子を配置し、両透明基板に形成された前記透明電極側を内側にして両透明基板を対向させ、前記スペーサー粒子を前記両透明基板に挟み込んで貼り合わせ、両透明基板間の空間に液晶材料を注入した後に封止してなる光偏向素子の製造装置であって、
前記スペーサー粒子を帯電させる帯電手段と、
前記帯電手段により帯電されたスペーサー粒子を保持するスペーサー担持体と、
前記鋸歯形状基板の鋸歯面を前記スペーサー担持体に対向配置する配置手段と、
前記両透明基板の透明電極間に電位差を印加する印加手段と、
を有し、
前記印加手段により前記両透明基板間に電位差を印加し、前記鋸歯形状基板の段差部近傍と前記鋸歯形状基板の段差部近傍以外の部分とに電界強度差を生じさせ、前記スペーサー担持体から前記鋸歯形状基板の段差部近傍に静電力により選択的に前記スペーサー粒子を配置することを特徴とする光偏向素子の製造装置。
【請求項２５】
前記スペーサー粒子を摩擦帯電させ、該帯電したスペーサー粒子を、導電性あるいは半導体表面を有するスペーサー担持体上に付着させる付着手段を更に有することを特徴とする請求項２４記載の光偏向素子の製造装置。
【請求項２６】
前記現像スペーサー担持体上に付着した前記スペーサー粒子の薄層を形成する薄層化手段を更に有することを特徴とする請求項２５記載の光偏向素子の製造装置。
【請求項２７】
前記印加手段は、前記鋸歯形状基板上の透明電極が段差部近傍領域と傾斜部領域との２つの領域に電気的に絶縁されて形成され、該２つの領域は互いに独立して電圧印加、あるいは、接地が可能であり、該２つの領域に印加する電位差により、前記帯電したスペーサー粒子を保持するスペーサー担持体の表面と前記２つの領域とに電界強度差を生じさせ、前記帯電したスペーサー粒子を前記鋸歯形状基板の段差部近傍に静電力により選択的に配置したことを特徴とする請求項２４記載の光偏向素子の製造装置。
【請求項２８】
表面に透明電極が形成された一対の透明基板の内、一方の透明基板は平面の表面からなる平面基板であり、他方の透明基板は光偏向方向に対応して傾斜している鋸歯状の表面を形成してなる鋸歯形状基板であり、少なくとも一方の透明基板表面にスペーサー粒子を配置し、両透明基板の透明電極側を内側にして対向させて前記スペーサー粒子を挟み込んで貼り合わせ、両透明基板間の空間に液晶材料を注入した後に封止してなる光偏向素子の製造装置であって、
前記スペーサー粒子を帯電させる帯電手段と、
前記帯電手段により帯電したスペーサー粒子を保持するスペーサー担持体と、
前記鋸歯形状基板の鋸歯面を前記スペーサー担持体に対向配置する配置手段と、
前記両透明基板の透明電極間に電位差を印加する印加手段と、
を有し、
前記平面基板上の透明電極が、前記鋸歯形状基板の段差部近傍領域と傾斜部領域とのそれぞれに対向する位置で、前記段差部近傍領域と傾斜部領域との２つの領域に電気的に絶縁されて形成され、該２つの領域は互いに独立して電圧印加、あるいは、接地が可能であり、前記印加手段により前記２つの領域に印加する電位差により、前記帯電したスペーサー粒子を保持するスペーサー担持体の表面と前記２つの領域とに電界強度差を生じさせ、前記スペーサー担持体上に保持するスペーサー粒子を前記平面基板上の前記鋸歯形状基板の段差部近傍に対応した領域に静電力により選択的に配置することを特徴とする光偏向素子の製造装置。
【発明の詳細な説明】
【技術分野】
【０００１】
本発明は、光偏向素子、光偏向素子の製造方法および光偏向素子の製造装置に関するものである。
【背景技術】
【０００２】
光偏向素子なる光学素子として、ＫＨ2 ＰＯ4 （ＫＤＰ），ＮＨ4 Ｈ2 ＰＯ4 （ＡＤＰ），ＬｉＮｂＯ3 ，ＬｉＴａＯ3 ，ＧａＡｓ，ＣｄＴｅなどの第１次電気光学効果（ポッケルス効果）の大きな材料や、ＫＴＮ，ＳｒＴｉＯ3 ，ＣＳ2 ，ニトロベンゼンなどの第２次電気光学効果の大きな材料を用いた電気光学デバイスや、ガラス，シリカ，ＴｅＯ2 などの材料を用いた音響光学デバイスが一般的に知られている。これらは、十分大きな光偏向量を得るためには光路長を長くする必要があり、また、材料が高価であるため用途が制限されている。
【０００３】
一方で、液晶材料を用いた光偏向素子なる光学素子も各種提案されており、本発明より先に出願された特許文献として、以下の文献が挙げられる。
【０００４】
例えば、光空間スイッチの光の損失を低減することを目的とした、人工複屈折板からなる光ビームシフタが提案されている（例えば、特許文献１参照）。具体的には、２枚のくさび形の透明基板を互いに逆向きに配置し、該透明基板間に液晶層を挟んだ光ビームシフタ、及び、マトリクス形偏向制御素子の後面に、光ビームシフタを接続した光ビームシフタが開示されており、併せて、２枚のくさび形の透明基板を互いに逆向きに配置し、該透明基板間にマトリクス駆動が可能で、入射光ビームを半セルシフトする液晶層を挟んだ光ビームシフタを半セルずらして多段接続した光ビームシフタが提案されている。
【０００５】
また、大きな偏向を得ることが可能で、偏向効率が高く、しかも、偏向角と偏向距離とを任意に設定することができる光偏向スイッチが提案されている（例えば、特許文献２参照）。具体的には、２枚の透明基板を所定の間隔で対向配置させ、該対向させた面に垂直配向処理を施し、透明基板間にスメクチックＡ相の強誘電性液晶を封入し、前記透明基板に対して垂直配向させ、スメクチック層と平行に交流電界を印加できるように電極対を配置し、電極対に交流電界を印加する駆動装置を備えた液晶素子である。すなわち、スメクチックＡ相の強誘電性液晶による電傾効果を用い、液晶分子の傾斜による複屈折により、液晶層に入射する偏光の屈折角と変位する方向を変化できるようにしたものである。
【０００６】
また、低電圧で駆動でき２次元化、小型化を目的とした光偏向装置が提案されている（例えば、特許文献３参照）。具体的には、一対の透明基板間に複屈折性を有する液晶を保持しており、該透明基板の一方に鋸歯状格子が形成されている。なお、保持されている液晶は鋸歯状格子の刻線方向にホモジニアスを配向しており、液晶の長軸あるいは短軸のいずれかの屈折率は鋸歯状格子を形成する材料の屈折率と一致している。また、入射光は偏向回転装置の制御に応じて偏光方向が９０°回転でき、入射光の偏光状態に応じて出射光の方向を切り替えることが可能である。
【０００７】
また、基板の一方の面に鋸歯状格子が形成されている2枚の透明基板を有し、それら鋸歯状格子は各々反対方向を向き、同一形状、同一の屈折率を保持する光偏向装置がある（例えば、特許文献４参照）。
【特許文献１】特開平６−１８９４０号公報
【特許文献２】特開平９−１３３９０４号公報
【特許文献３】特開平５−２０４００１号公報
【特許文献４】特開平９−１３３９３１号公報
【発明の開示】
【発明が解決しようとする課題】
【０００８】
上述した特許文献では光が偏向する原理として、主に、液晶材料の複屈折性、入射光に対するセル基板の傾斜に起因している。そのため、確実な光偏向機能を得るためには液晶ダイレクタの安定した切り替えが必要となり、鋸歯形状基板と対向する基板間の液晶層ギャップの厚みムラをなくし、光偏向素子の全面で入射光に対する傾斜面の角度を均一にする必要がある。ギャップ制御のためには、セルギャップに対応したスペーサー粒子を配置するのが一般的であるが、鋸歯形状基板を用いた場合は、光偏向素子内での液晶層厚が異なるため、ギャップ制御に寄与するスペーサー粒子は鋸歯形状基板上の凹部、あるいは、凸部に配置するスペーサー粒子となり、それ以外の鋸歯形状の傾斜部分に位置するスペーサー粒子は、透過率低下や散乱光発生の原因となる。
【０００９】
本発明は上記事情に鑑みてなされたものであり、比較的簡単な方法で確実に鋸歯形状基板の所望の位置にスペーサー粒子を配置して光偏向素子の液晶層のギャップを制御し、散乱光が少なく高性能な光偏向素子、光偏向素子の製造方法および光偏向素子の製造装置を提供することを目的とするものである。
【課題を解決するための手段】
【００１０】
かかる目的を達成するために、本発明は以下の特徴を有する。
【００１１】
本発明にかかる光偏向素子は、一対の透明基板と、透明基板上の透明電極と、透明基板の間に挟まれた電圧印加により配向の制御が可能な液晶層と、液晶層に対して電圧を印可する電圧制御手段と、を有し、液晶層を挟む両透明基板の少なくとも一方の透明基板が、光偏向方向に対応して傾斜している鋸歯状の表面を形成してなる鋸歯形状基板である光偏向素子であって、液晶層のギャップを制御するためのスペーサー粒子が鋸歯形状基板の段差部近傍に配置されてなることを特徴とする。
【００１２】
また、本発明にかかる光偏向素子は、液晶層のギャップを制御するスペーサー粒子を鋸歯形状基板の段差部近傍にスクリーン印刷により配置してなることを特徴とする。
【００１３】
また、本発明にかかる光偏向素子は、液晶層のギャップを制御するスペーサー粒子を鋸歯形状基板の段差部近傍にインクジェットにより配置してなることを特徴とする。
【００１４】
また、本発明にかかる光偏向素子は、段差部近傍は、鋸歯状を形成する段差部の凸部近傍と凹部近傍とからなり、液晶層のギャップを制御するスペーサー粒子を鋸歯形状基板の全面に配置した後に、スペーサー粒子を除去するための平面形状からなる除去手段を鋸歯形状基板面に接触させて、鋸歯形状基板の段差部凹部以外のスペーサー粒子を除去手段側に転写することで、液晶層のギャップを制御するスペーサー粒子を鋸歯形状基板の段差部凹部近傍に配置してなることを特徴とする。
【００１５】
また、本発明にかかる光偏向素子は、段差部近傍は、鋸歯状を形成する段差部の凸部近傍と凹部近傍とからなり、液晶層のギャップ制御をするスペーサー粒子を配置してなる基板に対し、鋸歯形状基板を接触させ、鋸歯形状基板の段差部凸部近傍に対してスペーサー粒子を基板から転写して配置してなることを特徴とする。
【００１６】
また、本発明にかかる光偏向素子は、液晶層のギャップを制御するスペーサー粒子が接着剤層を形成してなり、鋸歯形状基板の所望の位置にスペーサー粒子を配置した後に、接着剤層により鋸歯形状基板にスペーサー粒子が接着してなることを特徴とする。
【００１７】
また、本発明にかかる光偏向素子は、液晶層のギャップを制御するスペーサー粒子が光吸収体よりなることを特徴とする。
【００１８】
また、本発明にかかる光偏向素子は、一対の透明基板と、透明基板上の透明電極と、透明基板間に挟まれた電圧印加により配向の制御が可能な液晶層と、液晶層のギャップを制御するためのスペーサー粒子と、液晶層に電圧を印加する電圧制御手段と、を有し、液晶層を挟む両透明基板の少なくとも一方の透明基板が光偏向方向に対応して傾斜している鋸歯状の表面を形成してなる鋸歯形状基板である光偏向素子であって、スペーサー粒子は帯電可能であり、該帯電したスペーサー粒子を保持するスペーサー担持体の表面と鋸歯形状基板の鋸歯面とを対向配置して電位差を印加させ、鋸歯形状基板の段差部近傍と鋸歯形状基板の段差部近傍以外の部分とに電界強度差を生じさせ、帯電したスペーサー粒子を鋸歯形状基板の段差部近傍に静電力により選択的に配置してなることを特徴とする。
【００１９】
また、本発明にかかる光偏向素子は、スペーサー粒子を摩擦帯電させ、該帯電したスペーサー粒子を導電性あるいは半導体表面を具備するスペーサー担持体上に付着させ、スペーサー担持体の表面と鋸歯形状基板の鋸歯表面とを対向して配置し、両表面間に電位差を印加することで、鋸歯形状基板の段差部近傍と鋸歯形状基板の段差部近傍以外の部分とに電界強度差を生じさせ、電界強度の大きな部分のみでスペーサー担持体上の帯電したスペーサー粒子を鋸歯形状基板側に静電的な力により転写させ、鋸歯形状基板の段差部近傍のみにスペーサー粒子を配置してなることを特徴とする。
【００２０】
また、本発明にかかる光偏向素子は、スペーサー粒子を摩擦帯電させ、該帯電したスペーサー粒子を導電性あるいは半導体表面を具備する現像ローラー上に帯電したスペーサー粒子の薄層を形成させ、現像ローラーの表面と鋸歯形状基板の鋸歯表面とを対向して配置し、両表面間に電位差を印加することで、鋸歯形状基板の段差部近傍と鋸歯形状基板の段差部近傍以外の部分とに電界強度差を生じさせ、電界強度の大きな部分のみで現像ローラー上の帯電したスペーサー粒子を鋸歯形状基板側に静電力により転写させ、鋸歯形状基板の段差部近傍のみにスペーサー粒子を配置してなることを特徴とする。
【００２１】
また、本発明にかかる光偏向素子は、鋸歯形状基板上の透明電極が段差部近傍領域と傾斜部領域との２つの領域に電気的に絶縁されて形成されてなり、該２つの領域は互いに独立して電圧印加、あるいは、接地が可能であり、該２つの領域に印加する電位差により、帯電したスペーサー粒子を保持するスペーサー担持体の表面と２つの領域とに電界強度差を生じさせ、帯電したスペーサー粒子を鋸歯形状基板の段差部近傍に静電的な力により選択的に配置してなることを特徴とする。
【００２２】
また、本発明にかかる光編向素子は、一対の透明基板と、透明基板上の透明電極と、透明基板間に挟まれた電圧印加により配向の制御が可能な液晶層と、液晶層のギャップを制御するためのスペーサー粒子と、液晶層に電圧を印加する電圧制御手段と、を有し、液晶層を挟む両透明基板の一方の透明基板は平面の表面からなる平面基板であり、他方の透明基板が光偏向方向に対応して傾斜している鋸歯状の表面を形成してなる鋸歯形状基板である光偏向素子であって、スペーサー粒子は帯電可能であり、平面基板上の透明電極が、鋸歯形状基板の段差部近傍領域と傾斜部領域とのそれぞれに対向する位置で、段差部近傍領域と傾斜部領域との２つの領域に電気的に絶縁されて形成され、該２つの領域は互いに独立して電圧印加、あるいは、接地が可能であり、該２つの領域に印加する電位差により、帯電したスペーサー粒子を保持するスペーサー担持体の表面と２つの領域とに電界強度差を生じさせ、帯電したスペーサー粒子を平面基板上の段差部近傍に対応した領域に静電力により選択的に配置し、平面基板上のスペーサー粒子が付着した領域と鋸歯形状基板の段差部近傍とを対向させて液晶層を挟むように配置してなることを特徴とする。
【００２３】
また、本発明にかかる光偏向素子の製造方法は、一対の透明基板と、透明基板上の透明電極と、透明基板の間に挟まれた電圧印加により配向の制御が可能な液晶層と、液晶層に対して電圧を印可する電圧制御手段と、を有し、液晶層を挟む両透明基板の少なくとも一方の透明基板が、光偏向方向に対応して傾斜している鋸歯状の表面を形成してなる鋸歯形状基板である光偏向素子の製造方法であって、液晶層のギャップを制御するためのスペーサー粒子を鋸歯形状基板の段差部近傍に配置することを特徴とする。
【００２４】
また、本発明にかかる光偏向素子の製造方法は、液晶層のギャップを制御するスペーサー粒子を鋸歯形状基板の段差部近傍にスクリーン印刷により配置することを特徴とする。
【００２５】
また、本発明にかかる光偏向素子の製造方法は、液晶層のギャップを制御するスペーサー粒子を鋸歯形状基板の段差部近傍にインクジェットにより配置することを特徴とする。
【００２６】
また、本発明にかかる光偏向素子の製造方法は、段差部近傍は、鋸歯状を形成する段差部の凸部近傍と凹部近傍とからなり、
液晶層のギャップを制御するスペーサー粒子を鋸歯形状基板の全面に配置し、スペーサー粒子を除去するための平面形状からなる除去手段を鋸歯形状基板面に接触させ、鋸歯形状基板の段差部凹部以外のスペーサー粒子を除去手段側に転写することで、液晶層のギャップを制御するスペーサー粒子を鋸歯形状基板の段差部凹部近傍に配置することを特徴とする。
【００２７】
また、本発明にかかる光偏向素子の製造方法は、段差部近傍は、鋸歯状を形成する段差部の凸部近傍と凹部近傍とからなり、液晶層のギャップ制御をするスペーサー粒子を配置してなる基板に対し、鋸歯形状基板を接触させ、鋸歯形状基板の段差部凸部近傍に対してスペーサー粒子を基板から転写することで、液晶層のギャップを制御するスペーサー粒子を鋸歯形状基板の段差部凸部近傍に配置することを特徴とする。
【００２８】
また、本発明にかかる光偏向素子の製造方法は、液晶層のギャップを制御するスペーサー粒子が接着剤層を形成してなり、鋸歯形状基板の所望の位置にスペーサー粒子を配置した後に、接着剤層により鋸歯形状基板にスペーサー粒子が接着してなることを特徴とする。
【００２９】
また、本発明にかかる光偏向素子の製造方法は、表面に透明電極が形成された一対の透明基板のうち、少なくとも一方の透明基板が光偏向方向に対応して傾斜している鋸歯状の表面を形成してなる鋸歯形状基板であり、少なくとも一方の透明基板の表面にスペーサー粒子を配置し、両透明基板に形成された透明電極側を内側にして両透明基板を対向させ、スペーサー粒子を両透明基板に挟み込んで貼り合わせ、両透明基板間の空間に液晶材料を注入した後に封止してなる光偏向素子の製造方法であって、スペーサー粒子を帯電させ、該帯電したスペーサー粒子を保持するスペーサー担持体の表面と鋸歯形状基板の鋸歯面とを対向配置し、両透明基板の透明電極間に電位差を印加し、鋸歯形状基板の段差部近傍と鋸歯形状基板の段差部近傍以外の部分とに電界強度差を生じさせ、帯電したスペーサー粒子を鋸歯形状基板の段差部近傍に静電力により選択的に配置することを特徴とする。
【００３０】
また、本発明にかかる光偏向素子の製造方法は、スペーサー粒子を摩擦帯電させ、該帯電したスペーサー粒子を、導電性あるいは半導体表面を有するスペーサー担持体上に付着させ、スペーサー担持体の表面と鋸歯形状基板の鋸歯表面とを対向して配置し、両表面間に電位差を印加することで、鋸歯形状基板の段差部近傍と鋸歯形状基板の段差部近傍以外の部分とに電界強度差を生じさせ、電界強度の大きな部分のみでスペーサー担持体上の帯電したスペーサー粒子を鋸歯形状基板側に静電力により転写させることで、鋸歯形状基板の段差部近傍のみにスペーサー粒子を配置することを特徴とする。
【００３１】
また、本発明にかかる光偏向素子の製造方法は、スペーサー粒子を摩擦帯電させ、該帯電したスペーサー粒子を、導電性あるいは半導体表面を有する現像ローラー上に付着させ、現像ローラー上に付着したスペーサー粒子の薄層を形成し、現像ローラーの表面と鋸歯形状基板の鋸歯表面とを対向して配置し、両表面間に電位差を印加することで、鋸歯形状基板の段差部近傍と鋸歯形状基板の段差部近傍以外の部分とに電界強度差を生じさせ、電界強度の大きな部分のみでスペーサー担持体上の帯電したスペーサー粒子を鋸歯形状基板側に静電力により転写させることで、鋸歯形状基板の段差部近傍のみにスペーサー粒子を配置することを特徴とする。
【００３２】
また、本発明にかかる光偏向素子の製造方法は、鋸歯形状基板上の透明電極が段差部近傍領域と傾斜部領域との２つの領域に電気的に絶縁されて形成され、該２つの領域は互いに独立して電圧印加、あるいは、接地が可能であり、該２つの領域に印加する電位差により、帯電したスペーサー粒子を保持するスペーサー担持体の表面と２つの領域とに電界強度差を生じさせ、帯電したスペーサー粒子を鋸歯形状基板の段差部近傍に静電力により選択的に配置したことを特徴とする。
【００３３】
また、本発明にかかる光偏向素子の製造方法は、表面に透明電極が形成された一対の透明基板の内、一方の透明基板は平面の表面からなる平面基板であり、他方の透明基板は光偏向方向に対応して傾斜している鋸歯状の表面を形成してなる鋸歯形状基板であり、少なくとも一方の透明基板表面にスペーサー粒子を配置し、両透明基板の透明電極側を内側にして対向させてスペーサー粒子を挟み込んで貼り合わせ、両透明基板間の空間に液晶材料を注入した後に封止してなる光偏向素子の製造方法であって、スペーサー粒子を帯電させ、平面基板上の透明電極が、鋸歯形状基板の段差部近傍領域と傾斜部領域とのそれぞれに対向する位置で、段差部近傍領域と傾斜部領域との２つの領域に電気的に絶縁されて形成され、該２つの領域は互いに独立して電圧印加、あるいは、接地が可能であり、該２つの領域に印加する電位差により、帯電したスペーサー粒子を保持するスペーサー担持体の表面と２つの領域とに電界強度差を生じさせ、帯電したスペーサー粒子を平面基板上の鋸歯形状基板の段差部近傍に対応した領域に静電力により選択的に配置し、平面基板上のスペーサー粒子が付着した領域と鋸歯形状基板の段差部近傍とを対向させて貼り合わせることを特徴とする。
【００３４】
また、本発明にかかる光偏向素子の製造装置は、表面に透明電極が形成された一対の透明基板のうち、少なくとも一方の透明基板が光偏向方向に対応して傾斜している鋸歯状の表面を形成してなる鋸歯形状基板であり、少なくとも一方の透明基板の表面にスペーサー粒子を配置し、両透明基板に形成された透明電極側を内側にして両透明基板を対向させ、スペーサー粒子を両透明基板に挟み込んで貼り合わせ、両透明基板間の空間に液晶材料を注入した後に封止してなる光偏向素子の製造装置であって、スペーサー粒子を帯電させる帯電手段と、帯電手段により帯電されたスペーサー粒子を保持するスペーサー担持体と、鋸歯形状基板の鋸歯面をスペーサー担持体に対向配置する配置手段と、両透明基板の透明電極間に電位差を印加する印加手段と、を有し、印加手段により両透明基板間に電位差を印加し、鋸歯形状基板の段差部近傍と鋸歯形状基板の段差部近傍以外の部分とに電界強度差を生じさせ、スペーサー担持体から鋸歯形状基板の段差部近傍に静電力により選択的にスペーサー粒子を配置することを特徴とする。
【００３５】
また、本発明にかかる光偏向素子の製造装置は、スペーサー粒子を摩擦帯電させ、該帯電したスペーサー粒子を、導電性あるいは半導体表面を有するスペーサー担持体上に付着させる付着手段を更に有することを特徴とする。
【００３６】
また、本発明にかかる光偏向素子の製造装置は、現像スペーサー担持体上に付着したスペーサー粒子の薄層を形成する薄層化手段を更に有することを特徴とする。
【００３７】
また、本発明にかかる光偏向素子の製造装置は、印加手段は、鋸歯形状基板上の透明電極が段差部近傍領域と傾斜部領域との２つの領域に電気的に絶縁されて形成され、該２つの領域は互いに独立して電圧印加、あるいは、接地が可能であり、該２つの領域に印加する電位差により、帯電したスペーサー粒子を保持するスペーサー担持体の表面と２つの領域とに電界強度差を生じさせ、帯電したスペーサー粒子を鋸歯形状基板の段差部近傍に静電力により選択的に配置したことを特徴とする。
【００３８】
また、本発明にかかる光偏向素子の製造装置は、表面に透明電極が形成された一対の透明基板の内、一方の透明基板は平面の表面からなる平面基板であり、他方の透明基板は光偏向方向に対応して傾斜している鋸歯状の表面を形成してなる鋸歯形状基板であり、少なくとも一方の透明基板表面にスペーサー粒子を配置し、両透明基板の透明電極側を内側にして対向させてスペーサー粒子を挟み込んで貼り合わせ、両透明基板間の空間に液晶材料を注入した後に封止してなる光偏向素子の製造装置であって、スペーサー粒子を帯電させる帯電手段と、帯電手段により帯電したスペーサー粒子を保持するスペーサー担持体と、鋸歯形状基板の鋸歯面をスペーサー担持体に対向配置する配置手段と、両透明基板の透明電極間に電位差を印加する印加手段と、を有し、平面基板上の透明電極が、鋸歯形状基板の段差部近傍領域と傾斜部領域とのそれぞれに対向する位置で、段差部近傍領域と傾斜部領域との２つの領域に電気的に絶縁されて形成され、該２つの領域は互いに独立して電圧印加、あるいは、接地が可能であり、印加手段により２つの領域に印加する電位差により、帯電したスペーサー粒子を保持するスペーサー担持体の表面と２つの領域とに電界強度差を生じさせ、スペーサー担持体上に保持するスペーサー粒子を平面基板上の鋸歯形状基板の段差部近傍に対応した領域に静電力により選択的に配置することを特徴とする。
【発明の効果】
【００３９】
本発明にかかる光偏向素子、光偏向素子の製造方法および光偏向素子の製造装置は、鋸歯形状基板により光偏向素子内部の液晶層の厚みが異なる構成の光偏向素子において、鋸歯形状基板の段差部近傍に配置した最小限のスペーサー粒子で液晶層のギャップを制御し、ギャップ制御に寄与しないスペーサー粒子を削減させることで、配向欠陥の発生を防止し、液晶配向の乱れにより、偏光面が揃っていない光成分であるノイズ光が発生しないことになる。また、スペーサー粒子による反射でノイズ光となる成分を低減することが可能となる。
【発明を実施するための最良の形態】
【００４０】
まず、図１、図３、図４を参照しながら、本発明にかかる光偏向素子および光偏向素子の製造方法について説明する。
【００４１】
本発明にかかる光偏向素子は、少なくとも一方の透明基板が光偏向光方向に対して傾斜している鋸歯状の表面を形成した鋸歯形状基板を有する一対の透明基板（鋸歯形状基板（１）、対向基板（２））と、一対の透明基板（１、２）上の透明電極（４）と、一対の透明基板（１、２）間に挟まれた電圧印加により配向状態の制御が可能な液晶層（３）と、液晶層（３）に電圧を印加する電圧制御手段と、を有して構成される光偏向素子において、液晶層（３）のギャップを制御するためのスペーサー粒子を図３に示すように、鋸歯形状基板の段差部近傍に配置することを特徴とするものである。なお、段差部近傍とは、図４（ａ）に示すように、鋸歯形状ピッチに対して鋸歯最上部を中心とした所定範囲を示唆するものである。また、凸部近傍とは、図４（ｂ）に示すように鋸歯形状ピッチに対して、鋸歯最上部から段差部と反対方向に２０％の範囲であり、より好ましくは１０％以内の範囲である。また、凹部近傍とは図４（ｃ）に示すように鋸歯形状ピッチに対して、段差部から傾斜方向に２０％の範囲であり、より好ましくは１０％以内の範囲である。なお、本実施例では、凸部近傍と凹部近傍とを合わせて段差部近傍と定義する。また、図４（ａ）に示す鋸歯形状ピッチを１００％とする。
【実施例１】
【００４２】
以下、添付図面を参照しながら本発明にかかる光偏向素子について説明する。
まず、図１〜図２を参照しながら光偏向動作原理及び光偏向素子の基本構成について説明する。
【００４３】
図１は、光偏向素子の構成例を示すものであり、少なくとも一方の基板に鋸歯形状が形成されてなる一対の透明基板（鋸歯形状基板（１）、対向基板（２））と、一対の透明基板（１、２）間に電圧印加条件により配向状態の制御が可能な液晶層（３）と、液晶層（３）へ電界を印加する透明電極（４）と、透明電極（４）への電圧印加状態を変化させる光偏向電圧制御手段（図示せず）と、を有して構成される。なお、一方の透明基板（１）に形成される鋸歯の形状、アレイ数は特に限定しないが、所望の偏向量、偏向方向になるように形成することになる。鋸歯形状基板（１）の鋸歯部の形成方法としては、ガラス基板をエッチングする、または、透明プラスチック材料を射出成形等により加工する方法等が挙げられる。また、液晶分子（５）は電圧印加条件により配向状態が変化するため、電圧印加条件を設定することで、図２に示すように液晶分子が２つの配向状態（第１の配向状態と第２の配向状態）をとり得ることになる。以下に、図２を参照しながら光偏向素子における液晶分子（５）の配向状態の変化について説明する。なお、図２は、図１に示す一対の透明基板（１、２）間の構成を拡大したものである。
【００４４】
図２に示す光偏向素子は、基本的にはホモジニアス配向されたキラルスメクチックＣ相よりなる液晶を用いる光偏向素子に準ずる構成のものであるが、電圧印加条件により液晶分子（５）の配向状態が変化し、その配向状態の変化に伴い屈折率が変化するものであればよく、特に限定しない。例えば、ネマティック液晶も同様の構成にて適用可能である。
【００４５】
なお、液晶の両側には、図１に示すように、液晶を充填させて電界印加手段として機能する一対の透明電極（４）による電極対が形成されており、この電極対により、ホモジニアス配向している液晶ダイレクタに直交する方向、すなわち、液晶ダイレクタの自発分極方向に電界が印加される構成となっている。さらに、鋸歯形状基板（１）側の面が入射光の法線方向に対して傾きψ１をなすように傾斜状態が設定されている。
【００４６】
また、図２（ａ）中のＡ−Ａ'断面図である図２（ｂ）に示すように、液晶ダイレクタは、電極からの電界方向に対応して２方向に配向されることになる（第１の配向状態、及び、第２の配向状態）。このように、電極からの電界方向に対応して２方向に液晶ダイレクタが配向される構成の光偏向素子においては、液晶の配向（第１の配向状態、第２の配向状態）を図２（ｂ）に示す通り略直交する方向に規制することで、入射光を効率良く偏向させることが可能となる。すなわち、図２において入射光の直線偏光方向がＹ軸方向となるように入射光を操作して、光偏向素子に光を入射させたとき、液晶ダイレクタがＺ軸方向を向く（図２（ｂ）に示す第１の配向状態）ように電極対により電界を印加することになる。このような状態で、液晶の屈折率と液晶を挟持する基板の屈折率とが等しい場合、入射光は常光として振る舞い、偏向することなくそのまま通過することになる。
【００４７】
また、電界印加方向を反転させて液晶ダイレクタが第１の配光状態と直交する方向を向くようにする（図２（ｂ）に示す第２の配向状態）。このような状態で液晶の屈折率と液晶を挟持する基板の屈折率とが異なる場合、入射光は異常光として振る舞い、界面との屈折率差により偏向されることになる。
【００４８】
なお、本実施例では、液晶の配向（第１の配向状態と第２の配向状態）を直交する方向に規制するために、両透明基板の表面に形成される配向膜に対して液晶配向（第１の配向状態、第２の配向状態）に対応する方向にラビング処理を行っており、ラビング方向に依存した向きに液晶ダイレクタの方向が強く規制されることになる。また、光配向処理には、ＴＮ液晶、ＳＴＮ液晶等に用いられるポリイミド等の通常の配向膜が適用可能である。このように、液晶の配向を直交する方向に規制するために、ラビング処理や光配向処理を施すことが好ましい。
【００４９】
上記構成からなる光偏向素子の特徴は、入射光に対する出射光が液晶ダイレクタの制御により、回転移動可能な点である。したがって、光偏向素子と受光部との距離を適切に選ぶことで所望の偏向量を得ることができることになる。
【００５０】
また、上記構成からなる光偏向素子において正確な光偏光の機能を得るためには、透明基板の歪みを防止して液晶ダイレクタの安定した切り替えをすることになるため、光偏向素子の具備する液晶層のギャップ制御が重要となる。なお、光偏向素子のギャップを制御するためのスペーサーには、球状のＳｉＯ2 （二酸化珪素）やポリスチレンのような有機樹脂からなるスペーサーが挙げられる。スペーサーの散布方法としては、窒素ガスの気流でスペーサーを散布する乾式散布方式と、ＩＰＡのような低沸点溶媒にスペーサーを混ぜて基板上に噴霧散布、あるいは、スピンコート塗布する湿式散布方式と、が知られている。これにより、両透明基板間に外圧が印加された際に全面のギャップを均一に保つことができる。
【００５１】
次に、図３を参照しながら、スペーサー粒子の配置について説明する。
上述した散布方法により、鋸歯形状基板面にスペーサー粒子をランダムに配置して光偏向素子を作成した場合には、図3に示すようにギャップ制御に寄与するスペーサー粒子は、鋸歯形状基板の凸部近傍（図３に示す斜線部のスペーサー粒子）に偶然配置されたものとなる。なお、セルギャップ精度を上げるには、鋸歯形状基板の凸部近傍に配置するスペーサー粒子（図３に示す斜線部のスペーサー粒子）を増やすことが必要となる。
【００５２】
そこで、鋸歯形状基板の凸部近傍に配置するスペーサー粒子を増やすためには、スペーサー粒子の散布量を増加すれば可能となるが、ギャップ制御に寄与しない鋸歯形状基板の傾斜部分のスペーサー粒子も増加し、液晶分子の配向の乱れや光を散乱させてノイズ光を発生させるなど光偏向素子の特性劣化となる。したがって、本実施例では、鋸歯形状基板の段差部近傍にスペーサー粒子を配置して液晶層のギャップ制御を行うことを特徴とする。なお、段差部近傍とは、図４（ａ）に示すように、鋸歯形状ピッチに対して鋸歯最上部を中心とした所定範囲を示唆するものである。また、凸部近傍とは、図４（ｂ）に示すように鋸歯形状ピッチに対して、鋸歯最上部から段差部と反対方向に２０％の範囲であり、より好ましくは１０％以内の範囲である。また、凹部近傍とは図４（ｃ）に示すように鋸歯形状ピッチに対して、段差部から傾斜方向に２０％の範囲であり、より好ましくは１０％以内の範囲である。なお、本実施例では、凸部近傍と凹部近傍とを合わせて段差部近傍と定義する。また、図４（ａ）に示す鋸歯形状ピッチを１００％とする。
【００５３】
具体的にスペーサー粒子を鋸歯形状基板上に配置する位置は、図５（ａ）に示すように鋸歯形状基板の凸部近傍にスペーサー粒子を配置した場合と、図５（ｂ）に示すように鋸歯形状基板の凹部近傍にスペーサー粒子を配置した場合とが挙げられる。なお、本実施例では、図５（ａ），（ｂ）に示すようにスペーサー粒子を鋸歯形状基板の段差部近傍（凸部近傍、凹部近傍）上に配置できるのが理想的であるが、実際は微少粒径のスペーサー粒子を扱うため、多少の配置ズレが生じるのは避けられない。しかし素子の光偏向動作への影響が小さい鋸歯形状基板の段差部近傍にスペーサー粒子を集中させ、確実にギャップ制御を行い、鋸歯形状基板の傾斜部分のスペーサー粒子を除去することで高性能な光偏向素子を得ることができることから、スペーサー粒子の粒径と、スペーサー粒子を鋸歯形状基板面に配置する場所と、を設定することで、セルギャップをコントロールすることが可能となる。
【００５４】
スペーサー粒子を鋸歯形状基板面の段差部近傍に配置する方法としては様々な方法が考えられるが、本実施例の１つの方式として、スクリーン印刷方式が挙げられる。スクリーン印刷方式は、ギャップ制御に用いる粒径のスペーサーが通過する穴が形成されているスクリーン印刷マスクを、鋸歯形状基板のスペーサー粒子を配置する位置に合わせて置き、低沸点溶媒に分散させたスペーサー粒子をスクリーン印刷して配置する方法である。
【００５５】
スクリーン印刷マスクの穴形状は、鋸歯形状基板の段差部に対応させたライン状や等間隔の穴状など、スペーサー粒子の配置量を基に容易に設定が可能である。また、鋸歯形状基板の凸部にスペーサー粒子を配置する場合には、スペーサー粒子を接着剤に混入して印刷し、ギャップ制御と対向基板との接着を兼ねることも可能である。鋸歯形状基板の凸部への接着であれば接着剤の量も少なくて済み、液晶ダイレクタの切り替えによる光偏向機能に及ぼす影響は小さく、また、対向基板と接着することで、外圧よる液晶層のギャップ変化に起因する欠陥も発生しにくくなり、大面積な光偏向素子のギャップ制御にも対応できる。なお、対向基板との接着時に適正な圧力で加圧硬化することで、接着剤によるギャップ精度の低下を回避することが可能となる。
【００５６】
また、更に精度良くスペーサー粒子を配置する方法としては、インクジェット方式が挙げられる。インクジェット方式は、スクリーン印刷方式と同様に低沸点溶媒に分散させたスペーサー粒子を微細ノズルで噴射する方法である。インクジェット方式は、スクリーン印刷方式よりもスペーサー粒子の分散液が少量で済み、スペーサー粒子の配置量の調整も可能であり、また、鋸歯形状基板の面積が変わっても容易に対応できることから好ましい。
【００５７】
なお、スペーサー粒子の粒径は、制御する液晶層の厚みとスペーサー粒子を配置する位置により適宜設定する必要がある。例えば、図５（ａ）に示すように鋸歯形状基板の凸部近傍にスペーサー粒子を配置する場合には、図５（ｂ）に示すように鋸歯形状基板の凹部近傍にスペーサー粒子を配置する場合よりも粒径の小さいスペーサー粒子が必要であり、スペーサー粒子の配置が凸部近傍からずれた場合でも液晶層厚みに及ぼす影響は小さいことになる。しかしスペーサー粒子の散乱によるノイズ光を低減するためには、極力スペーサー粒子を除去することが望ましい。スペーサー粒子の大きさは、液晶材料や鋸歯形状基板の設計によっても異なるが、１ミクロンメートルから数１０ミクロンメートル程度である。
【００５８】
なお、スクリーン印刷方式やインクジェット方式と異なり、鋸歯形状基板の所望の位置に精密な位置調整を必要とせず、スペーサー粒子を配置する簡便な方法もある。以下に、図６を参照しながらその簡便な方法について説明する。
【００５９】
まず、図６（ａ）に示すように、鋸歯形状基板の全面に対してランダムな位置にスペーサー粒子を配置する。このスペーサー粒子の配置の方法としては、上述したような乾式散布方法、湿式散布方法のいずれの方法を用いて配置することが可能である。次に、平面な基板を粘着面に接触させて（図６に示す粘着面接触位置）、鋸歯形状基板凹部以外のスペーサー粒子を平面基板に転写させ、鋸歯形状基板からスペーサー粒子を除去する。これにより、スペーサー粒子が鋸歯形状基板から除去されることになり、図６（ｂ）に示すように鋸歯形状基板の凹部にスペーサー粒子が配置されることになる。なお、スペーサー粒子を転写除去する平面とは、平板状態のものでも良く、図６（ａ）に示すように接触面が平面形状と見なせる曲面状態でも良く、スペーサー粒子を転写除去可能な形状であれば特に限定しない。なお、スペーサー粒子を確実に転写除去するためには、平面が粘着面のものでも良い。以上の処理により精密な位置合せを必要とせず、スペーサー粒子を鋸歯形状基板の凹部に配置することができることになる。なお、スペーサー粒子を転写除去する際に、スペーサー粒径により鋸歯形状基板に一定距離を保って接触するように、ブレード等での調整を必要とすることもある。
【００６０】
また、鋸歯形状基板の凸部にスペーサー粒子を配置する方法としては、図７に示すように、素子構成に用いない平面基板に対してランダムな位置にスペーサー粒子を配置し、鋸歯形状基板を平明基板上に対向接触させて、鋸歯形状基板の凸部にスペーサー粒子を転写する方法が挙げられる。この場合、鋸歯形状基板の凸部に接着剤、または、粘着剤あるいは、液体等を付与させスペーサー粒子を転写することも可能である。なお、鋸歯形状基板の凸部に接着剤をつけて転写したときは、対向基板となる平面基板を合わせてから外圧を印加して接着させることも可能である。この場合に適用可能な接着剤としては、エポキシ樹脂などの熱硬化型接着剤が挙げられる。また、ＵＶ硬化型接着剤も適用可能である。
【００６１】
なお、光偏向素子の経時使用や衝撃で液晶層内のスペーサー粒子が移動して液晶層のギャップ変動が生じるのを防止するためには、接着材に混入させたスペーサー粒子を鋸歯形状基板の凸部に配置し、接着剤で対向基板と接着させる方法もあるが、透過率を低下させないためには微量の接着材で固定するのが良い。その方法としては、接着剤がコーティングされたスペーサー粒子を使用するのが効果的である。
【００６２】
接着の方法としては、例えば、図８（ａ）に示すようなスペーサー粒子の表面に熱溶融・硬化型の接着層がコーティングされたものを、上述した一般的なスペーサー散布方法等の何れかの方法を用いて鋸歯形状基板に配置し、その後、加熱して図８（ｂ）に示すように、鋸歯形状基板にスペーサー粒子を接着させる方法がある。また、図８（ｃ）に示すように、対向基板を合わせた後に加熱して、両方の基板（図８に示す対向基板の一部と、鋸歯形状基板の一部）にスペーサー粒子を接着させる方法がある。
【００６３】
なお、上述した様々な方法を用いて液晶層のギャップ制御は可能となるが、ギャップ制御に用いるスペーサー粒子が光を透過する材質である場合、光偏向によりノイズ光成分が発生し、コントラスト低下の一因となる場合がある。これを防止するためには光吸収体からなるスペーサー粒子を使用することで解決できることになる。なお、光吸収体とは、光を完全に吸収する必要はないが、反射光成分による不具合を発生させない程度の光吸収性能を持っている必要があり、例えば、黒色スペーサーが適用可能である。
【実施例２】
【００６４】
次に、第２の実施例について説明する。
第２の実施例は、帯電したスペーサー粒子を保持するスペーサー粒子担持体の表面と鋸歯形状基板の鋸歯面とを対向配置して電位差を印可させ、鋸歯形状基板の段差部近傍と鋸歯形状基板の段差部近傍以外の部分とに電界強度差を生じさせることで、スペーサー粒子担持体上に帯電したスペーサー粒子を鋸歯形状基板の段差部近傍に静電的な力により選択的に配置させる方法である。以下に、図９を参照しながら、第２の実施例について説明する。
【００６５】
まず、図９を参照しながら、スペーサー粒子配置装置の構成例について説明する。
図９に示すスペーサー粒子配置装置は、スペーサー粒子担持体（１０）と、スペーサー粒子供給手段（１１）と、スペーサー薄層化手段（１２）と、スペーサー帯電手段（１３）と、電界印可手段（１４）と、スペーサー配置部（１５）と、を有して構成される。
【００６６】
スペーサー粒子担持体（１０）としては、表面に平滑な導電層または半導体層を有する回転ドラムあるいはベルト状部材などを用いることが好ましい。また、回転体ではなく枚葉式のスペーサー保持板でも良い。更に、光導電性の感光体層を用いても良い。また、スペーサー薄層化手段（１２）としては、ブレード状部材、ローラーやブラシなどを用いることが可能である。
【００６７】
また、スペーサー帯電手段（１３）としては、コロナチャージャーや非接触型帯電ローラーなどの非接触の放電タイプが好ましいが、単層粒子層の乱れが実用上問題なければ接触型帯電ローラーや帯電ブラシなどを用いることも可能である。
【００６８】
次に、上記構成からなるスペーサー粒子配置装置を用いて鋸歯形状基板上にスペーサー粒子を配置する方法について説明する。
【００６９】
まず、スペーサー粒子担持体（１０）の表面に対してスペーサー粒子供給手段（１１）からスペーサー粒子が供給され、スペーサー薄層化手段（１２）により一層のスペーサー粒子を密に配置することになる。次に、スペーサー粒子担持体（１０）上の単層粒子をスペーサー帯電手段（１３）により単一極性に帯電させる。そして、スペーサー配置部（１５）においてスペーサー粒子担持体（１０）と鋸歯形状基板（１６）とを一定間隔で対向させる。なお、一定間隔の保持方法は、鋸歯形状基板（１６）の周囲に形成した平坦部とスペーサー粒子担持体表面間との距離を一定に保つスペーサー部材や凸部などを別途設置すれば良い。次に、スペーサー配置部（１５）においてスペーサー粒子担持体（１０）表面の導電層と鋸歯形状基板（１６）表面の透明電極層との間に電位差を印加させ、帯電したスペーサー粒子を鋸歯形状基板側に静電力により転写させる。例えば、スペーサー粒子がマイナスに帯電している場合、スペーサー粒子担持体（１０）表面を接地し、鋸歯形状基板（１６）表面にプラス電位を印加することで、スペーサー粒子を鋸歯形状基板側に移動（転写）させる静電力が働くことになる。この時、図１０に示すように、鋸歯形状凸部とスペーサー粒子担持体表面との距離ｄ１は、鋸歯形状凹部とスペーサー粒子担持体表面との距離ｄ２に比べて小さく、鋸歯形状基板の表面にベタの透明電極がある場合、同一電位差が印加されているために、電界強度は、鋸歯形状凸部の方が大きくなる。したがって、スペーサー粒子の帯電量、スペーサー粒子担持体の表面性、電界印加手段の印加電圧、スペーサー配置部の通過時間などを最適化することで、鋸歯形状基板の凸部近傍では、スペーサー粒子担持体とスペーサー粒子間の付着力よりもスペーサー粒子に働く静電力が大きくなり鋸歯形状基板側への転写が起こり、鋸歯形状基板の凸部近傍以外の部分ではスペーサー粒子担持体とスペーサー粒子間の付着力よりもスペーサー粒子に働く静電力が小さくなり鋸歯形状基板には転写しない状態を構築することとなる。
【００７０】
したがって、図１０に示すように鋸歯形状基板の凸部近傍のみにスペーサー粒子を付着させることが可能となり、余分なスペーサー粒子を付着させる必要がなくノイズ光の少ない光偏向素子を提供できることになる。
【実施例３】
【００７１】
次に、第３の実施例について説明する。
第３の実施例は、第２の実施例におけるスペーサー粒子担持体上に均一帯電したスペーサー粒子を単層粒子層としてより均一に形成する方法について説明する。
【００７２】
第３の実施例は、図１１に示すように電子写真装置の現像装置のトナー粒子をスペーサー粒子に置換えて、スペーサー粒子を摩擦帯電させ、導電性あるいは半導体表面を有するスペーサー粒子担持体（１０）上に帯電したスペーサー粒子を付着させ、スペーサー粒子担持体（１０）の表面と鋸歯形状基板（１６）の鋸歯表面とを対向して配置し、両表面間に電位差を印加することで、鋸歯形状基板の段差部近傍と鋸歯形状基板の段差部近傍以外の部分とに電界強度差を生じさせ、電界強度の大きな部分のみでスペーサー粒子担持体（１０）上に帯電したスペーサー粒子を鋸歯形状基板（１６）側に静電力により転写させ、鋸歯形状基板（１６）の凸部近傍のみにスペーサー粒子を配置させることを特徴とするものである。
【００７３】
次に、図１１を参照しながら、第３の実施例におけるスペーサー粒子の配置方法について説明する。なお、図１１は二成分現像装置を用いた例を示している。
【００７４】
まず、スペーサー粒子供給手段（１１）から二成分現像装置（１７）内に未帯電のスペーサー粒子が投入されると、二成分現像装置（１７）の具備する攪拌部（１８）において磁性体キャリア粒子とスペーサー粒子とが混合攪拌され、キャリア粒子とスペーサー粒子とで摩擦帯電が起こることになる。なお、図１１では磁性体キャリアがプラス極性、スペーサー粒子がマイナス極性に帯電した例を示したが、粒子表面の材質や電荷付与剤の種類などにより帯電極性や帯電量を制御できることになる。次に、スペーサー粒子が付着した磁性体キャリアは、現像スリーブ（１９）上に搬送され、図示しないドクターブレードにより現像スリーブ（１９）上の量が規制されることになる。そして、現像スリーブ（１９）内の磁石により現像スリーブ（１９）上に磁気ブラシが形成され、スペーサー粒子担持体（１０）表面を適度に摺擦する。この時、現像スリーブ（１９）に印加する現像バイアス電圧値や現像スリーブ（１９）とスペーサー粒子担持体（１０）の回転速度比、スペーサー粒子担持体（１０）の表面性などを最適化することで、スペーサー粒子のみを均一な単層でスペーサー粒子担持体（１０）上に付着させることが可能となる。なお、現像バイアス電圧は、直流電圧でも交流電圧を重畳しても良く、特に限定しない。次に、スペーサー配置部（１５）においてスペーサー粒子担持体（１０）表面の導電層と鋸歯形状基板（１６）表面の透明電極層との間に電位差を印加させ、帯電したスペーサー粒子を鋸歯形状基板（１６）側に静電力により転写させる。このように、本実施例では電子写真装置の（二成分）現像装置（１７）を利用することで、比較的簡単な構成で鋸歯形状基板（１６）の段差凸部のみにスペーサー粒子を配置することが可能となる。
【実施例４】
【００７５】
次に、第４の実施例について説明する。
第４の実施例は、図１２に示すように電子写真装置の一成分現像装置のトナー粒子をスペーサー粒子に置換えてスペーサー粒子を摩擦帯電させ、その帯電したスペーサー粒子を導電性あるいは半導体表面を有する一成分現像装置の現像ローラー（２０）上にスペーサー粒子の薄層を形成させ、現像ローラー（２０）の表面と鋸歯形状基板（１６）の鋸歯表面とを対向して配置し、両表面間に電位差を印加して、鋸歯形状基板（１６）の段差部近傍と段差部近傍以外の部分とに電界強度差を生じさせ、電界強度の大きな部分のみで現像ローラー（２０）上の帯電したスペーサー粒子を鋸歯形状基板（１６）側に静電力により転写させることで、鋸歯形状基板（１６）の段差凸部のみにスペーサー粒子を配置することを特徴とするものである。以下、図１２を参照しながら、第４の実施例について説明する。
【００７６】
まず、図１２に示すようにスペーサー粒子供給手段（１１）から現像ローラー（２０）上にスペーサー粒子を供給し、スペーサー薄層化手段（１２）により単一層化される。なお、スペーサー薄層化手段（１２）としては、薄層化ブレードや薄層化ローラーを用いることが可能である。なお、現像ローラー（２０）の表面やスペーサー薄層化手段（１２）の表面は中抵抗材料からなり、摩擦帯電よりスペーサー粒子を帯電させる。なお、図１２では逆の電荷は現像ローラー（２０）表面、または、スペーサー薄層化手段（１２）表面を通して接地へと流れる。なお、図示しないが、スペーサー薄層化手段（１２）に電圧を印加して電荷注入によりスペーサー粒子を帯電させる構成でも良い。なお、現像ローラー（２０）表面やスペーサー薄層化手段（１２）表面の材質や抵抗値、ブレード加圧力、ローラー回転速度などを最適化することで、帯電したスペーサー粒子を均一な単層で現像ローラー（２０）上に付着させることが可能となる。次に、スペーサー配置部（１５）において現像ローラー（２０）表面の導電層と鋸歯形状基板（１６）表面の透明電極層との間に電位差を印加させ、その帯電したスペーサー粒子を鋸歯形状基板（１６）側に静電力により転写させる。このように、本実施例では電子写真装置の一成分現像装置を利用することで、小型で簡単な構成にて鋸歯形状基板（１６）の段差凸部のみにスペーサー粒子を配置することが可能となる。
【実施例５】
【００７７】
次に、第５の実施例について説明する。
上記の第２から第４の実施例では、鋸歯形状基板の表面に電気的に１つの透明電極層が形成されているため、同じ電位差で鋸歯形状基板の段差凸部と鋸歯形状基板の段差凸部以外の部分とに電界強度差を与えるためにはスペーサー粒子担持体（１０）表面、あるいは、現像ローラー（２０）表面と、鋸歯形状基板（１６）と、の距離をスペーサー粒子の粒径程度からその数倍程度の範囲内まで近接させる必要がある。これにより図１０に示すように鋸歯形状基板の段差凸部におけるギャップｄ１と鋸歯形状基板の段差凸部以外の部分におけるギャップとの比が大きくなり電界強度差を大きくすることが可能となる。しかし、スペーサー粒子の帯電量分布や付着力分布が広い場合には、比較的小さな電界強度でもスペーサー粒子が転写してしまい、鋸歯形状基板の傾斜部にもスペーサー粒子が付着する虞がある。
【００７８】
そこで、第５の実施例では、鋸歯形状基板上の透明電極が、段差部近傍領域と傾斜部領域との２つの領域に電気的に絶縁されて形成され、２つの領域は互いに独立して電圧印加、あるいは、接地が可能であり、２つの領域に印加する電位差により、帯電したスペーサー粒子を保持するスペーサー粒子担持体表面と２つの領域とに電界強度差を生じさせ、帯電したスペーサー粒子を鋸歯形状基板上の段差部近傍に静電的な力によって選択的に配置することとする。
【００７９】
好ましくは、図１３に示すように鋸歯形状基板の凸部近傍に独立したライン状透明電極を形成することにする。なお、ライン状透明電極は、幅が数μｍから１０μｍ程度で鋸歯形状基板凸部の稜線に沿って延びている。そして数μｍ程度のギャップを空けて傾斜部の比較的広い透明電極層を形成する。例えば、図１０に示すように全面に透明電極層を有する鋸歯形状基板を用いて、フォトリソグラフィーとエッチングとにより数μｍ幅の透明電極を除去するなどして形成可能となる。凸部近傍のライン状透明電極と傾斜部の透明電極とは電気的に独立しており、それぞれに印加する電圧を異ならせて電位差パターンを形成することが可能となる。この電位差パターンを形成した状態で、帯電したスペーサー粒子を保持するスペーサー粒子担持体に対して鋸歯形状基板を近接させることで、電子写真の現像の原理により鋸歯形状基板の段差凸部のライン状透明電極部のみにスペーサー粒子を選択的に付着させることが可能となる。なお、帯電したスペーサー粒子を保持するスペーサー粒子担持体とは、上述したスペーサー粒子担持体、または、現像装置（二成分現像装置の磁気ブラシや一成分現像装置の現像ローラー）と同様でも良い。
【００８０】
なお、図１３では鋸歯形状基板の段差凸部のライン状透明電極にプラス電位（Ｖ１）を印加し、傾斜部の透明電極を接地し、スペーサー粒子担持体、または、現像装置（二成分現像装置の磁気ブラシや一成分現像装置の現像ローラー）にもプラス電位（Ｖ２）を印加する。この時、Ｖ１＞Ｖ２＞０とすることで、マイナスに帯電したスペーサー粒子はライン状透明電極のみに付着することになる。図１３ではスペーサー粒子担持体、または、現像装置の表面を平面と見なして、鋸歯形状基板と近接した場合を示唆したが、磁気ブラシの磁性キャリア粒子などが接触していても同様となる。また、印加する電位の大きさはスペーサー粒子の帯電量やスペーサー粒子担持体、または、現像装置の表面と、鋸歯形状基板との相対速度、接触状態などに応じて最適化される。
【００８１】
なお、図１３では凸部近傍のライン状透明電極を形成して最小ギャップに対応した粒径のスペーサー粒子を付着させたが、凹部近傍にライン状透明電極を形成して最大ギャップに対応した粒径のスペーサー粒子を付着させることも可能である。
【００８２】
但し、鋸歯形状基板に透明電極をパターニングする工程が必要だが、鋸歯形状基板上に静電パターンを形成するので、現像装置から直接スペーサー粒子を付着させることが可能となる。したがって、スペーサー粒子担持体は不用となり、スペーサー粒子配置装置自体が小型で単純化できると共に確実にスペーサー粒子の付着位置を制御することが可能となる。
【実施例６】
【００８３】
次に、第６の実施例について説明する。
第６の実施例は、液晶層を挟む基板の一方は平面の表面であり（以後、平面基板と呼ぶ）、平面基板上の透明電極が、鋸歯形状基板の段差部近傍領域と傾斜部領域とのそれぞれに対向する位置で、２つの領域に電気的に絶縁されて形成される。２つの領域は互いに独立して電圧印加、あるいは、接地が可能であり、２つの領域に印加する電位差により、帯電したスペーサー粒子を保持するスペーサー粒子担持体表面と２つの領域とに電界強度差を生じさせ、帯電したスペーサー粒子を平面基板上の段差部近傍に対応した領域に静電的な力により選択的に配置し、平面基板上のスペーサー粒子が付着した領域と鋸歯形状基板の段差部近傍とを対向させて液晶層を挟むように配置する。
【００８４】
そこで、第６の実施例は、図１４に示すように平面基板上に独立したライン状透明電極を形成することとする。ライン状透明電極は、幅が数μｍから１０μｍ程度で、後に対向する鋸歯形状基板の凸部稜線に対応した位置に形成する。そして、数μｍ程度のギャップを空けて傾斜部に対応した比較的広い透明電極層を形成する。例えば、全面に透明電極層を有する平面基板を用いて、フォトリソグラフィーとエッチングとにより数μｍ幅の透明電極を除去するなどして形成することが可能である。平面基板の場合、均一なフォトレジストの成膜が比較的容易であり、露光や現像プロセスの制御も容易である。したがって、より精細な透明電極パターンの形成が可能となり、スペーサー粒子の付着領域の制御がより精密になる。鋸歯形状基板の凸部に対応したライン状透明電極部と傾斜部に対応した透明電極部とは電気的に独立しており、それぞれに印加する電圧を異ならせて電位差パターンを形成することが可能となり、この電位差パターンを形成した状態で、帯電したスペーサー粒子を保持するスペーサー粒子担持体に鋸歯形状基板を近接させることで、電子写真の現像の原理により鋸歯形状基板の段差凸部に対応したライン状透明電極部のみにスペーサー粒子を選択的に付着させることが可能となる。なお、第６の実施例におけるスペーサー粒子の付着方法やスペーサー粒子配置装置は第５の実施例と同様な方法や装置でも適用可能である。
【００８５】
そして、図１５に示すように、スペーサー粒子がライン状に配列した平面基板と鋸歯形状基板との位置を合わせて貼り合せることで間接的に鋸歯形状基板の段差部にスペーサー粒子を配置することが可能となる。なお、平面基板と鋸歯形状基板との精密な位置合せ工程が必要になるが、平面基板上の透明電極をパターニングすることは比較的容易であるという利点があることから、比較的容易に光偏向素子を形成することは可能である。
【００８６】
（実施例）
次に、上記第１の実施例から第６の実施例における具体例（以下、実施例とする）と比較例とを挙げて具体的に説明する。
【００８７】
（鋸歯形状基板）
大きさが４０ｍｍ×３０ｍｍ、基板厚さ１ｍｍの石英ガラス基板上に、図１６に示すような鋸歯状アレイに加工した。その加工した鋸歯形状を測定したところ凹凸の段差は３ミクロンであった。なお、鋸歯形状面積は１０ｍｍ×１０ｍｍである。次に、鋸歯形状面に透明電極としてＩＴＯ（膜厚１４００Å）を形成した。次に、ポリイミド系の配向材料（ＡＬ３０４６Ｒ３１、ＪＳＲ社）をスピンコートして、約０.０６μｍの配向膜を形成し、鋸歯形状に対して直角方向にラビング処理を行った。
（対向基板）
大きさが４０ｍｍ×３０ｍｍ、厚さ１ｍｍの石英ガラス平板を用いて、鋸歯形状基板と同様にＩＴＯを形成した後に配向膜の形成とラビング処理を行った。
【００８８】
（実施例１）
まず、実施例１について説明する。
鋸歯形状基板の凸部分に対応させてライン状の穴をあけたスクリーン印刷マスクを、鋸歯形状基板の上にのせて、マスクの穴位置が鋸歯形状基板の凸部にくるように顕微鏡で位置を合わせて、治具で固定した。次に０．２重量％の濃度でイソプロピルアルコールに分散した３ミクロンメートル粒径のスペーサー粒子ＳＷ３．０（触媒化成・真絲球）を刷毛で数回塗布し、スクリーンマスクをはずして鋸歯形状の凸部にスペーサー粒子があるのを顕微鏡で確認した。そして、溶媒を乾燥した後に、鋸歯形状基板の周囲の平面部にＵＶ硬化接着剤（３０５２スリーボンド製）を塗布して、ラビング方向が平行方向となるように対向基板を合わせて加圧しながらＵＶを照射し空セルを作製した。
【００８９】
（比較例１）
次に、比較例１について説明する。
０．２重量％の濃度でイソプロピルアルコールに分散した３ミクロンメートル粒径のスペーサー粒子ＳＷ３．０（触媒化成・真絲球）を鋸歯形状基板に１５００ｒｐｍでスピンコート塗布し、９０度のホットプレート上で１分間溶媒を乾燥させた。スペーサー粒子の数は１平方ミリメートル当たり２００個程度であった。次に、鋸歯形状基板の周囲の平面部にＵＶ硬化接着剤（３０５２スリーボンド製）を塗布して、ラビング方向が平行方向となるように対向基板を合わせて加圧しながらＵＶを照射し空セルを作製した。
【００９０】
（比較例２）
次に、比較例２について説明する。
鋸歯形状基板にはスペーサー粒子は塗布せずに、ＵＶ硬化接着剤に３ミクロンメートル粒径のスペーサー粒子ＳＷ３．０を１重量％混入して鋸歯形状周囲の平面部に塗布し、比較例１と同様に対向基板を合わせて空きセルを作製した。
【００９１】
（光偏向素子の作成と評価）
実施例１、比較例１および比較例２の空セルに強誘電性液晶Ｒ５００２（クラリアントジャパン社）を注入してＵＶ硬化接着材（３０５２スリーボンド製）で封止し、光偏向素子を作製した。この光偏向素子の対向基板面に垂直にレーザー光を入射して1メートル先のスクリーンに投影して散乱の発生程度を比較した。この結果は、図１７に示すように、実施例１の光偏向素子は、最も散乱光が少なかった。また、比較例１は、スペーサー粒子の散乱光が発生し、比較例２は、ギャップ制御が不充分で、液晶分子の配向が揃っていないため散乱が発生したと推測できる。
【００９２】
（実施例２）
次に、実施例２について説明する。
大きさが４０ｍｍ×３０ｍｍ、厚さ１ｍｍのガラス基板面に１．０重量％の濃度でイソプロピルアルコールに分散した３ミクロンメートル粒径のスペーサー粒子ＳＷ３．０（触媒化成・真絲球）を１５００ｒｐｍでスピンコート塗布し、９０度のホットプレート上で１分間乾燥させた。次に、この基板面に実施例１で使用した鋸歯形状基板を対向接触させ、１００ｇ／ｃｍ2 で外圧を印加させ、ゆっくり剥離した。顕微鏡で観察すると、鋸歯形状基板の凸部にスペーサー粒子が転写されていた。その後、鋸歯形状基板と実施例１と同様の石英の対向基板を用いて光偏向素子を作製した。そして、レーザー光を入射して散乱の発生程度を確認したところ実施例１と同程度であることが判明した。
【００９３】
（比較例３）
次に、比較例３について説明する。
実施例２と同様の方法で鋸歯形状基板にスペーサー粒子を転写し、対向基板を用いて空セルを作製した。次に、液晶Ｒ５００２（クラリアントジャパン社）を注入し光偏向素子を作製した。
【００９４】
（実施例3）
次に、実施例３について説明する。
比較例３で用いるスペーサー粒子の表面に接着剤層がコーティングされたものＡＷ３．０（触媒化成・真絲球）にした以外は同様の方法で、鋸歯形状基板にスペーサー粒子を転写し、鋸歯形状基板をホットプレート上で１００度５分間加熱し、スペーサー粒子を鋸歯形状基板に接着させた。次に、対向基板を用いて空セルを作製し、液晶Ｒ５００２（クラリアントジャパン社）を注入し光偏向素子を作製した。
【００９５】
実施例３と比較例３との光偏向素子を１０Ｖ，１００ＨＺで連続動作させた。一定時間ごとに動作を停止し、レーザー光を入れて両方の素子の散乱程度を確認したところ、比較例３の光偏向素子は除々に散乱が発生した。顕微鏡で観察すると、鋸歯凸部近傍に配置したスペーサー粒子が移動しているのが確認された。実施例３の光偏向素子は散乱の発生がなく、良い偏向性能を得られることが判明した。
【００９６】
（実施例４）
次に、実施例４について説明する。
実施例２で用いるスペーサー粒子を黒色スペーサーにした以外は、実施例２と同様な方法で光偏向素子を作製した。レーザー光を入れて散乱程度をみたところ実施例２よりも散乱の程度は良かった。
【００９７】
（実施例５）
次に、実施例５について説明する。
（スペーサー粒子）
粒径３μｍのスペーサー粒子ＳＷ３．０（触媒化成・真絲球）の帯電性を向上させるために、スペーサー粒子とマイナス帯電トナー用の帯電制御剤をハイブリダイザー（奈良機械製作所）を用いて混合し、スペーサー粒子表面に帯電制御剤層を付着させた。粒子の比重は２．２ｇ／ｃｍ3 程度で、スペーサー１個の重量は約３．１×１０-11ｇ、１ｇ中に約３．２×１０10個が含まれることになる。
（スペーサー配置）
電子写真感光体用のアルミ素管（直径８０ｍｍ）をスペーサー粒子担持体とし、厚さ０．５ｍｍのアルミブレードをスペーサー薄層化手段として図９に示すスペーサー粒子配置装置を作成した。スペーサー粒子供給手段（１１）は、電子写真装置のトナー補給機構部を用いた。スペーサー粒子の付着部分の幅は約１０ｍｍとなるように幅方向の規制板を設けた。線速５ｍｍ／ｓｅｃの速度でアルミ素管を回転させ、アルミブレードの先端に２０ｇ／ｃｍ程度の線圧で押しつけ、アルミブレードから漏れ出たスペーサー粒子を単一層に薄層化した。スペーサー帯電手段（１３）には、マイナス帯電のＯＰＣ感光体用のスコロトロンチャージャーを用いた。放電ワイヤーには−４ｋＶの高電圧を印加し、アルミ素管に対向するグリッド電極には−２００Ｖ程度の電圧を印加した。帯電部を通過した後のスペーサー粒子の帯電量（Ｑ／Ｍ）と付着量（Ｍ／Ａ）を吸引式のファラデーケージ法で測定したところ、帯電量は−６５μＣ／ｇ、付着量は０．０３ｍｇ／ｃｍ2 程度であった。鋸歯形状基板の鋸歯部周囲の平坦部に図１８に示すように厚み約５μｍのスペーサーシートを貼り付け、図示しない搬送ステージ上に固定して線速５ｍｍ／ｓｅｃの速度でアルミ素管の下側に搬送した。スペーサー配置部（１５）ではアルミ素管表面と鋸歯形状基板（１６）上のスペーサーシート面が接触して鋸歯形状部の凸部では５μｍ、凹部では８μｍのギャップが形成されることになる。そして、アルミ素管表面を接地し、鋸歯形状基板表面の透明電極層に＋２５Ｖの直流電圧を印加した。鋸歯形状の凸部には５×１０6 Ｖ／ｍ、凹部には３×１０6 Ｖ／ｍの電界が印加されることになる。上記帯電量からスペーサー粒子１個の電荷量は約２×１０-15Ｃと計算される。そして、スペーサー粒子を理想的な点電荷と仮定すると、凸部に正対したスペーサー粒子にはＦ＝ｑＥから約１×１０8 Ｎの静電力が働き、凹部に正対したスペーサー粒子にはＦ＝ｑＥから約６×１０9 Ｎの静電力が働くことになる。ここで、スペーサー粒子とアルミ素管の表面性とを制御してアルミ素管表面とスペーサー粒子とのファンデルワールス力を約９×１０8 N程度に設定しているので、凸部に正対したスペーサー粒子のみが鋸歯形状基板側に飛翔し、段差凸部近傍に約５０μｍ幅の範囲内に選択的に付着することになる。鋸歯ピッチ１０００μｍに対して５０μｍ幅の十分狭い領域にのみスペーサーが付着している。
（空セル作成）
次に、鋸歯形状基板上のスペーサーシートを取り外し、鋸歯基板周囲の平面部にＵＶ硬化接着剤（３０５２スリーボンド製）を塗布して、ラビング方向が平行方向となるように対向基板を合わせて加圧しながらＵＶを照射し空セルを作製した。
（光偏向素子の作成と評価）
実施例５、比較例１および比較例２の空セルに強誘電性液晶R５００２（クラリアントジャパン社）を注入してＵＶ硬化接着材（３０５２スリーボンド製）で封止し、光偏向素子を作製した。この光偏向素子の対向基板面に垂直にレーザー光を入射して１メートル先のスクリーンに投影して散乱の発生程度を比較した。この結果は、図１９に示すように、実施例５の光偏向素子は最も散乱光が少なかった。比較例１はスペーサー粒子の散乱光が発生し、比較例２はギャップ制御が不充分で、液晶分子の配向が揃っていないため散乱が発生したと推測できる。
【００９８】
（実施例６）
次に、実施例６について説明する。
二成分現像剤用のフェライトキャリヤ中に実施例５と同様のスペーサー粒子を１０重量％の濃度で混合攪拌した。これを二成分現像装置に投入し、図１１に示すようなスペーサー配置装置を作成した。そして、アルミ素管を接地し、現像スリーブ（直径３０ｍｍ）に−１００Ｖの現像バイアス電圧を印加してスペーサー粒子を付着させた。スペーサー粒子の帯電量（Ｑ／Ｍ）と付着量（Ｍ／Ａ）とを吸引式のファラデーケージ法で測定したところ、帯電量は−６５μＣ／ｇ、付着量は０．１ｍｇ／ｃｍ2 程度であった。これにより、実施例５に比べて均一で付着量が多いスペーサー層を形成することができた。そして、実施例５と同様な条件で鋸歯形状基板上にスペーサー粒子を静電力により配置した。スペーサー粒子は凸部近傍の約５０μｍの範囲内に比較的多く付着していた。この鋸歯形状基板と対向基板とを貼り合せて光偏向素子を作製したところ、セルギャップの均一性が更に良く、光散乱も少ない光偏向素子が得られた。これは、アルミ素管上に付着させたスペーサー粒子の密度が大きいために、鋸歯形状基板の凸部に配列したスペーサーの量も多くなり、セルギャップの規制精度が向上したためと考えられる。
【００９９】
（実施例７）
次に、実施例７について説明する。実施例５と同様のスペーサー粒子を一成分現像装置に投入した。現像ローラーは直径２０ｍｍの物を適用し、図１２に示すような小型のスペーサー配置装置を作成した。現像ローラー表面上のスペーサー粒子の付着量が０．３ｍｇ／ｃｍ２、帯電量が−６５μＣ／ｇ、となるように薄層化ブレードの材質と加圧量を設定した。現像ローラーの表面と鋸歯形状基板周囲とのギャップが５μｍとなるようにスペーサーシートを配置して接触させ、実施例５と同様に現像ローラーに約２５Ｖを印加し、鋸歯形状基板上にスペーサー粒子を静電力により配置した。スペーサー粒子は凸部近傍の約５０μｍの範囲内に比較的多く付着していた。この鋸歯基板と対向基板を貼り合せて光偏向素子を作製したところ、セルギャップの均一性が更に良く、光散乱も少ない光偏向素子が得られた。これは、現像ローラー上に付着させたスペーサー粒子の密度が大きいために、鋸歯形状基板の凸部に配列したスペーサーの量も多くなり、セルギャップの規制精度が向上したためと考えられる。
【０１００】
（実施例８）
次に、実施例８について説明する。
実施例５と同様の鋸歯形状基板のＩＴＯ電極をパターニングした。鋸歯形状基板面にフォトレジスト層をスピンコートし、クロムマスクを密着露光してフォトレジストパターンを形成し、ウェットエッチングによりライン状にＩＴＯ膜を除去した。凹凸がある基板上でのフォトレジスト層の厚みが比較的不均一になりパターニングの解像度が低下したが、約２０μｍ幅で解像させることができた。ＩＴＯパターンは図１３に示すように凸部近傍に約２０μｍ幅の凸部電極群と約２０μｍ幅の電極除去部と約９９６０μｍ幅の傾斜部電極群とからなる。凸部電極群と傾斜部電極群とはそれぞれ端部で電気的に接続されている。傾斜電極群を接地し、凸部電極群にＶ１＝＋１００Ｖを印加して鋸歯基板表面に静電パターンを形成した。そして、実施例７と同様の一成分現像装置を用いて鋸歯形状基板上の静電パターンをスペーサー粒子で現像した。この時、現像ローラー表面と鋸歯形状基板の表面とは接触させ、現像ローラーには傾斜電極部へのスペーサーの付着を防止するための現像バイアスとしてＶ２＝−５０Ｖを印加した。現像後、鋸歯形状基板の凸部近傍の幅約２０μｍの領域のみにスペーサー粒子が付着していた。この鋸歯形状基板と実施例５と同様の対向基板とを貼り合せて光偏向素子を作製したところ、セルギャップの均一性が更に良く、光散乱も更に少ない光偏向素子が得られた。これは、鋸歯形状基板の凸部に配列したスペーサー幅が狭くなったため、セルギャップの規制精度は維持したまま光透過率が向上したためと考えられる。
【０１０１】
（実施例９）
次に、実施例９について説明する。
実施例５と同様の平面状の対向基板のＩＴＯ電極をパターニングした。平面状の対向基板面に実施例８と同様にフォトレジスト層をスピンコートし、クロムマスクを密着露光してフォトレジストパターンを形成し、ウェットエッチングによりライン状にＩＴＯ膜を除去した。実施例８に比べて平面基板上でのフォトレジスト層の厚みは比較的均一であり、パターニングの解像度が向上したため、約１０μｍ幅で解像させることができた。ＩＴＯパターンは図１３に示すように凸部近傍に対応する位置に約１０μｍ幅の細い電極群と約１０μｍ幅の電極除去部と約９９８０μｍ幅の広い電極群とからなる。電極群はそれぞれ端部で電気的に接続されている。広い電極群を接地し、細い電極群にＶ１＝＋１００Ｖを印加して鋸歯基板表面に静電パターンを形成した。そして、実施例８と同様の一成分現像装置を用いて鋸歯形状基板上の静電パターンをスペーサー粒子で現像した。この時、現像ローラー表面と鋸歯形状基板の表面とは接触させ、現像ローラーには傾斜電極部へのスペーサーの付着を防止するための現像バイアスとしてＶ２＝−５０Ｖを印加した。現像後、平面基板の細い電極上の幅約１０μｍの領域内のみにスペーサー粒子が付着していた。この平面基板と実施例５と同様の鋸歯形状基板を対向させて、スペーサー付着部と鋸歯凸部近傍とが一致するように精密に位置を制御して貼り合せて光偏向素子を作製したところ、セルギャップの均一性が更に良く、光散乱も更に少ない光偏向素子が得られた。これは、鋸歯形状基板の凸部に配列したスペーサー幅が狭くなったため、セルギャップの規制精度は維持したまま光透過率が向上したためと考えられる。実施例９は、実施例６よりも散乱の程度は良いことが判明した。
【０１０２】
なお、上述する実施例は、本発明の好適な実施例であり、本発明の要旨を逸脱しない範囲において種々変更実施が可能である。
【産業上の利用可能性】
【０１０３】
本発明にかかる光偏向素子は、画像表示装置等に適用可能である。また、光変換等に適用する場合には、光の空間接続における光信号の光路切り替えに適用可能であり、光走査系、あるいは、光プリンタ等に適用する場合には、書き込み光の光路切り替え等に適用可能である。
【図面の簡単な説明】
【０１０４】
【図１】本発明にかかる光偏向素子の基本構成を示す図である。
【図２】図１に示す液晶層の液晶配向状態の変化を示す図である。
【図３】本発明にかかる光偏向素子の具備する鋸歯形状基板上にスペーサー粒子を配置する一例を示す図である。
【図４】鋸歯形状基板上にスペーサー粒子を配置する範囲を示す図であり、（ａ）は、鋸歯形状基板の段差部近傍の範囲を示し、（ｂ）は、鋸歯形状基板の凸部近傍の範囲を示し、（ｃ）は、鋸歯形状基板の凹部近傍を示す図である。
【図５】鋸歯形状基板上にスペーサー粒子を配置する位置を示す図であり、（ａ）は、鋸歯形状基板の凸部近傍に配置した例を示し、（ｂ）は、鋸歯形状基板の凹部近傍に配置した例を示す図である。
【図６】鋸歯形状基板の所望の位置に精密な位置調整を必要とせず、スペーサー粒子を配置する簡便な方法を示す図である。
【図７】平面基板に対してランダムな位置にスペーサー粒子を配置し、鋸歯形状基板を平明基板上に対向接触させて、鋸歯形状基板の凸部にスペーサー粒子を転写する方法を示す図である。
【図８】接着剤がコーティングされたスペーサー粒子を鋸歯形状基板上に接着する方法を示す図である。
【図９】スペーサー粒子配置装置の構成を示す図である。
【図１０】スペーサー配置部を拡大した構成を示す図である。
【図１１】二成分現像装置を用いたスペーサー粒子配置装置の構成を示す図である。
【図１２】一成分現像装置を用いたスペーサー粒子配置装置の構成を示す図である。
【図１３】鋸歯形状基板上の分割電極へのスペーサー配置を示す第１の図である。
【図１４】鋸歯形状基板上の分割電極へのスペーサー配置を示す第２の図である。
【図１５】平面基板上の分割電極と鋸歯形状基板の位置合せを示す図である。
【図１６】鋸歯状アレイ状に加工した鋸歯形状基板の断面略図と、平面略図を示す図である。
【図１７】実施例１、比較例１、比較例２における散乱光の発生程度を示す図である。
【図１８】鋸歯形状基板の鋸歯部周囲の平坦部にスペーサーシートを貼り付けた断面略図と、平面略図を示す図である。
【図１９】実施例５、比較例１、比較例２における散乱光の発生程度を示す図である。
【符号の説明】
【０１０５】
１、１６    鋸歯形状基板
２    対向基板
３    液晶層
４    透明電極
５    液晶分子
１０    スペーサー粒子担持体
１１    スペーサー粒子供給手段
１２    スペーサー薄層化手段
１３    スペーサー帯電手段
１４    電界印加手段
１５    スペーサー配置部
１７    二成分現像装置
１８    攪拌部
１９    現像スリーブ
２０    現像ローラー
【図１】
2005070237.tif 000003
【図２】
2005070237.tif 000004
【図３】
2005070237.tif 000005
【図４】
2005070237.tif 000006
【図５】
2005070237.tif 000007
【図６】
2005070237.tif 000008
【図７】
2005070237.tif 000009
【図８】
2005070237.tif 000010
【図９】
2005070237.tif 000011
【図１０】
2005070237.tif 000012
【図１１】
2005070237.tif 000013
【図１２】
2005070237.tif 000014
【図１３】
2005070237.tif 000015
【図１４】
2005070237.tif 000016
【図１５】
2005070237.tif 000017
【図１６】
2005070237.tif 000018
【図１７】
2005070237.tif 000019
【図１８】
2005070237.tif 000020
【図１９】
2005070237.tif 000021